(57)【要約】【課題】  安全注射器の提供。【解決手段】  プランジャー前端に開口が形成され、プランジャー前端近くの内壁面に径方向収斂部が形成されて、フレキシブルなホルダ支持シートを制圧してこの開口を密封し、プランジャー中を低圧に保持し、ニードルホルダが外筒の前端に離脱可能に組付けられ、薬剤注射完成後に、続けてプランジャーを押圧すると、シールメンバがニードルホルダに結合して阻止され、プランジャーが続けて前進し、シールメンバに対する制圧より離脱し、外筒とニードルホルダに結合し、ニードルがニードルホルダとシールメンバに伴い迅速に減圧後にプランジャー中に吸引、内蔵され、操作者のニードルの突き刺しによる感染を防止する。【選択図】        図１１
2005177467.tif 000002
【特許請求の範囲】
【請求項１】
外筒、フレキシブルなホルダ支持シート、ニードルアセンブリ、逆Ｕ形のゴムメンバ、弁、プランジャー、フレキシブルなシールメンバを具え、
該外筒は中空筒体を具え、前端開口と後端開口が形成され、前端開口の面積は後端開口の面積より小さく、結合シートが中空筒体の前端内に形成され、前端開口が結合シートを貫通し、
該フレキシブルなホルダ支持シートは外筒内に係止され且つ結合シート上に設けられ、該ホルダ支持シートに前後方向の貫通孔が形成され、
該ニードルアセンブリは、後端に開孔を具えたニードルホルダ本体と、ニードルホルダ本体を貫通するニードルを具え、ニードルアセンブリは離脱可能に外筒前端内に組付けられ、ニードルホルダ本体はホルダ支持シートの貫通孔内に設置されて結合シートに当接し、ニードルは結合シートを貫通し、外筒前端開口より伸出し、該ニードルホルダ本体の前段より離れた側に後ろ向きに延伸された係止縁が設けられ、該係止縁の外径が該ニードルホルダ本体より大きく、且つシールメンバが、外径がプランジャー内壁面の前端近くに形成された径方向収斂部より大きい弁部と該弁部前端より延伸された接合部を具え、該接合部に盲孔が形成され、該盲孔の内径が該係止縁より小さく、該係止縁の接合に供され、該ニードルホルダ本体の後端に対向するように一対のフックが設けられ、シールメンバに弁部が設けられ、該弁部の前端に該フックと嵌合可能な環状開口が設けられ、
該逆Ｕ形のゴムメンバは、該ホルダ支持シートと該ニードルホルダ本体の間に嵌合され、該逆Ｕ形のゴムメンバは穿孔を具え、ニードル後端が該穿孔を貫通し、シールメンバが弁部を具え、該弁部前端がホルダ支持シートの後端と逆Ｕ形のゴムメンバの底面に当接し、且つニードル後端が該弁部を突き刺し可能とされ、
該弁はシールメンバの該接合部の該盲孔内に設けられ、該ニードルホルダ本体後端の開孔を塞ぐのに供され、
該プランジャーは、前端と後端及びこの前端と後端の間に形成された中空筒体を具え、プランジャー前端に面積がニードルホルダ本体外径より大きい穿孔が形成され、プランジャー内壁面の前端近くに径方向収斂部が形成され、プランジャーが外筒内に設けられてプランジャー前端のホルダ支持シートに近い位置とプランジャー前端のホルダ支持シートより離れた位置の間で移動可能とされ、
該フレキシブルなシールメンバは、プランジャーの径方向収斂部に圧接し、プランジャー前端の穿孔をシールし、プランジャーの筒体内に外部より低い気圧を保持させ、プランジャー前端がホルダ支持シートから所定の距離の位置に接近する時、シールメンバがニードルホルダ本体に結合し、プランジャーがホルダ支持シートを押圧し、ニードルホルダ本体とホルダ支持シート間の結合を開放し、且つシールメンバがニードルホルダ本体の反作用力を受けて駆動されてシールメンバとプランジャーの結合が開放され、シールメンバとニードルアセンブリがプランジャーの筒体内の低圧吸引を受けてプランジャー内に縮入することを特徴とする、安全注射器。
【請求項２】
請求項１記載の安全注射器において、シールメンバの弁部の接合部が延伸された側面に更にニードルホルダ本体の後端の開孔を塞ぐ突起が形成されたことを特徴とする、安全注射器。
【請求項３】
請求項１記載の安全注射器において、プランジャーの筒体の前端近くに外径が外筒内径より大きいフレキシブルな弁が設けられたことを特徴とする、安全注射器。
【請求項４】
請求項１記載の安全注射器において、シールメンバの弁部が中空弁体を呈することを特徴とする、安全注射器。
【請求項５】
請求項１記載の安全注射器において、径方向収斂部が外向きに拡張された前端を具えたことを特徴とする、安全注射器。
【発明の詳細な説明】
【技術分野】
【０００１】
本発明は一種の安全注射器に係り、特に薬剤注射完了後に、ニードルを減圧による吸引により迅速にプランジャー内に回収できる安全注射器に関する。
【背景技術】
【０００２】
図１に示されるように、一般に伝統的な注射器７は、表面に目盛りを有し薬剤を収容する外筒７２を具え、外筒７２の前端に開口があり、ニードルホルダ７３０内に雌ネジ（図示せず）が形成されたニードルアセンブリ７３が外筒７２の前端より螺合され、ニードル７３１の後端がニードルホルダ７３０内に通され、前端が外筒７２の前方に露出する。外筒７２の後端には断面積が大きい開口７２４が形成され、前端にフレキシブルなゴム弁７４３が組付けられたプランジャー７４が、外筒７２の後端開口７２４より挿入され、ゴムプラグ７４３の外径は外筒７２後端開口７２４と外筒内径より僅かに大きく、後ろから前にプランジャー７４を押動することで、ゴム弁７４３が完全に外筒７２の後端開口７２４をシール可能で、これにより外筒７２内に薬剤を吸入してニードル７３１の前端より押し出すことができる。
【０００３】
注射完了後、看護員は注射器７前端よりニードル７３１を外さねばならず、不注意により、刺し傷を受けることがあり、ニードル７３１は既に患者の血液に接触しており、看護者はエイズ、Ｂ型肝炎等のウイルス感染型疾病に感染する恐れがある。
【０００４】
ゆえに、医療器材業者は医療人員が注射完成後に、ニードルに突き刺される危険をおかさずに、安全に尖ったニードルを妥当に収拾できる安全注射器の設計に尽力している。図２と図３は特許文献１に記載の安全注射器８であり、その外筒８２の前端にはクランプ８２４が設けられ、ニードルホルダ８３０を挟持し、シールメンバ８５は面取り部を具えたリブリング８５９によりプランジャー８４前端に係止され、並びにバネ８６の後ろ向きの引っ張り力を受け、操作員が注射完了後に、つづてプランジャー８４を押して前進させて、外筒８２前端のクランプ８２４を押し開いて、ニードルホルダ８３０とニードル８３１を釈放し、リブリング８５０も破壊して、これによりシールメンバ８５がバネ８６の引っ張り力を受けて後縮し、ニードルアセンブリ８３を伴い一体にプランジャー８４内に回収されるものとされる。
【０００５】
しかし、もし１ｃｃ或いは２ｃｃ容量の注射器の場合、直径が数ミリしかない外筒８２内に、外筒本体に沿ってクランプ８２４を後側より偏りなく前端まで挿入し、並びに正確な角度で精密に正確な位置に設置し、直径が更に小さいプランジャー８４中に、更に後ろから前にバネ８６を取り付け、後端をプランジャー８４の後端底部に固定し、並びにバネ８６を引き伸ばして前端をシールメンバ８５に固定しなければならない。このように複雑で且つ精密な組立過程は、注射器価格を高騰させるため、実際の市場の要求する価格に符合しなくなる。
【０００６】
【特許文献１】米国特許第５，３９５，３３７号明細書
【発明の開示】
【発明が解決しようとする課題】
【０００７】
本発明の主要な目的は、プランジャー内部の減圧吸引作用により、ニードルアセンブリを自動的にプランジャー中に迅速に内臓できる安全注射器を提供することにある。
【０００８】
本発明のもう一つの目的は、構造が簡単で且つ操作に便利であり、操作人員がニードルの突き刺しにより感染するのを防止できる安全注射器を提供することにある。
【課題を解決するための手段】
【０００９】
請求項１の発明は、外筒、フレキシブルなホルダ支持シート、ニードルアセンブリ、逆Ｕ形のゴムメンバ、弁、プランジャー、フレキシブルなシールメンバを具え、
該外筒は中空筒体を具え、前端開口と後端開口が形成され、前端開口の面積は後端開口の面積より小さく、結合シートが中空筒体の前端内に形成され、前端開口が結合シートを貫通し、
該フレキシブルなホルダ支持シートは外筒内に係止され且つ結合シート上に設けられ、該ホルダ支持シートに前後方向の貫通孔が形成され、
該ニードルアセンブリは、後端に開孔を具えたニードルホルダ本体と、ニードルホルダ本体を貫通するニードルを具え、ニードルアセンブリは離脱可能に外筒前端内に組付けられ、ニードルホルダ本体はホルダ支持シートの貫通孔内に設置されて結合シートに当接し、ニードルは結合シートを貫通し、外筒前端開口より伸出し、該ニードルホルダ本体の前段より離れた側に後ろ向きに延伸された係止縁が設けられ、該係止縁の外径が該ニードルホルダ本体より大きく、且つシールメンバが、外径がプランジャー内壁面の前端近くに形成された径方向収斂部より大きい弁部と該弁部前端より延伸された接合部を具え、該接合部に盲孔が形成され、該盲孔の内径が該係止縁より小さく、該係止縁の接合に供され、該ニードルホルダ本体の後端に対向するように一対のフックが設けられ、シールメンバに弁部が設けられ、該弁部の前端に該フックと嵌合可能な環状開口が設けられ、
該逆Ｕ形のゴムメンバは、該ホルダ支持シートと該ニードルホルダ本体の間に嵌合され、該逆Ｕ形のゴムメンバは穿孔を具え、ニードル後端が該穿孔を貫通し、シールメンバが弁部を具え、該弁部前端がホルダ支持シートの後端と逆Ｕ形のゴムメンバの底面に当接し、且つニードル後端が該弁部を突き刺し可能とされ、
該弁はシールメンバの該接合部の該盲孔内に設けられ、該ニードルホルダ本体後端の開孔を塞ぐのに供され、
該プランジャーは、前端と後端及びこの前端と後端の間に形成された中空筒体を具え、プランジャー前端に面積がニードルホルダ本体外径より大きい穿孔が形成され、プランジャー内壁面の前端近くに径方向収斂部が形成され、プランジャーが外筒内に設けられてプランジャー前端のホルダ支持シートに近い位置とプランジャー前端のホルダ支持シートより離れた位置の間で移動可能とされ、
該フレキシブルなシールメンバは、プランジャーの径方向収斂部に圧接し、プランジャー前端の穿孔をシールし、プランジャーの筒体内に外部より低い気圧を保持させ、プランジャー前端がホルダ支持シートから所定の距離の位置に接近する時、シールメンバがニードルホルダ本体に結合し、プランジャーがホルダ支持シートを押圧し、ニードルホルダ本体とホルダ支持シート間の結合を開放し、且つシールメンバがニードルホルダ本体の反作用力を受けて駆動されてシールメンバとプランジャーの結合が開放され、シールメンバとニードルアセンブリがプランジャーの筒体内の低圧吸引を受けてプランジャー内に縮入することを特徴とする、安全注射器としている。
請求項２の発明は、請求項１記載の安全注射器において、シールメンバの弁部の接合部が延伸された側面に更にニードルホルダ本体の後端の開孔を塞ぐ突起が形成されたことを特徴とする、安全注射器としている。
請求項３の発明は、請求項１記載の安全注射器において、プランジャーの筒体の前端近くに外径が外筒内径より大きいフレキシブルな弁が設けられたことを特徴とする、安全注射器としている。
請求項４の発明は、請求項１記載の安全注射器において、シールメンバの弁部が中空弁体を呈することを特徴とする、安全注射器としている。
請求項５の発明は、請求項１記載の安全注射器において、径方向収斂部が外向きに拡張された前端を具えたことを特徴とする、安全注射器としている。
【発明の効果】
【００１０】
本発明は、プランジャー内部の減圧吸引作用により、ニードルアセンブリを自動的にプランジャー中に迅速に内臓できる安全注射器を提供している。
【００１１】
本発明はまた、構造が簡単で且つ操作に便利であり、操作人員がニードルの突き刺しにより感染するのを防止できる安全注射器を提供している。
【発明を実施するための最良の形態】
【００１２】
本発明は一種の安全注射器を提供し、それは、外筒、フレキシブルなホルダ支持シート、ニードルアセンブリ、プランジャー、及びフレキシブルなシールメンバを具えている。外筒は中空筒体を具え、前端開口と後端開口が形成され、前端開口の面積は後端開口の面積より小さく、結合シートが中空筒体の前端内に形成され、前端開口は結合シートを貫通する。フレキシブルなホルダ支持シートは外筒内に係止され且つニードルホルダの上に設けられ、ホルダ支持シートに前後方向の貫通孔が設けられている。ニードルアセンブリは後端に開孔を具えたニードルホルダ本体と、ニードルホルダ本体を貫通するニードルを具え、ニードルアセンブリは離脱可能に外筒前端内に組付けられ、ニードルホルダ本体はホルダ支持シートの貫通孔内に設置されて結合シートに当接し、ニードルは結合シートを貫通し、外筒前端開口より伸出している。プランジャーは前端と後端及びこの前端と後端の間に形成された中空筒体を具え、プランジャー前端に面積がニードルホルダ本体外径より大きい穿孔が形成され、プランジャー内壁面の前端近くに径方向収斂部が形成され、プランジャーが外筒内に設けられ、プランジャー前端がホルダ支持シートに近い位置とプランジャー前端のホルダ支持シートより離れた位置の間で移動可能である。フレキシブルなシールメンバはプランジャーの径方向収斂部に圧接し、プランジャー前端の穿孔をシールし、プランジャーの筒体内に外部より低い気圧を保持させる。プランジャー前端のホルダ支持シートから所定の距離の位置に接近する時、シールメンバがニードルホルダ本体に結合し、プランジャーがホルダ支持シートを押圧し、ニードルホルダ本体とホルダ支持シート間の結合を開放し、且つシールメンバがニードルホルダ本体の反作用力を受けて、駆動されてシールメンバとプランジャーの結合を開放し、シールメンバとニードルアセンブリがプランジャーの筒体内の低圧吸引を受けてプランジャー内に縮入する。
【実施例１】
【００１３】
図４から図７に示されるように、本発明の第１実施例の安全注射器は、外筒２、外筒２前端に取り付けられたニードルアセンブリ３、離脱可能に外筒２内に組付けられたプランジャー４、及びプランジャー４前端をシールするためのフレキシブルなシールメンバ５を具えている。
【００１４】
外筒２は中空筒体２０を具え、筒体前端２１と後端２２に筒体２０と連通する開口２１０、２２０が形成され、後端開口２２０の断面積はプランジャー４より僅かに大きく、プランジャー４が後端開口２２０より外筒２内に挿入される。結合シート２１２は筒体前端２１内に設けられ、開口２１０が結合シート２１２を貫通する。結合シート２１２は筒体２０と一体成形されるか或いは筒体前端２１内の独立した部品とされる。前端開口２１０の断面積は後端開口２２０、筒体内径、プランジャー４の断面積のいずれよりも小さい。外筒２内壁面の内径と後端開口２２０はほぼ等しく、これにより外径がこの内径より僅かに大きいフレキシブルなホルダ支持シート２４が外筒２の後端開口２２０より押し込まれ、外筒の筒体２０内に係止され、外筒前端２１と所定距離離れた位置とされ、フレキシブルなホルダ支持シート２４中に、前後方向の貫通孔２４０が形成されている。
【００１５】
ニードルアセンブリ３は中空ニードルホルダ３０と該ニードルホルダ３０を貫通するニードル３１を具え、ニードルアセンブリ３は離脱可能に外筒２のフレキシブルなホルダ支持シート２４部分に組付けられ、ニードル３１前端は結合シート２１２を通り外筒前端２１の開口２１０より突出する。
【００１６】
プランジャー４は外筒２と同方向に延伸された中空筒体４０を具え、該筒体４０前端４１に断面積がニードルホルダ３０より大きい穿孔４１０が形成され、並びにシールメンバ５がプランジャー４前端に形成された穿孔４１０の内壁部分に設置され、プランジャーの筒体４０がこれによりシール空間を形成する。注射薬剤を吸入したい時は、プランジャー４を外筒２の筒体２０内で、プランジャー４の前端４１をホルダ支持シート２４に接近する位置より、エンドキャップ４５により後ろ向きに引っ張る。注射時にはプランジャー４のエンドキャップ４５を押圧し、プランジャー４を前向きにスライドさせて外筒２のホルダ支持シート２４に接近する位置とし、プランジャー４前端４１と外筒２のホルダ支持シート２４間の距離を縮減し、薬剤を押し出す。当然、プランジャー４を外筒２内で押し引きする時の気密状態を保持するため、プランジャー４の筒体４０に環状にフレキシブルなピストンメンバ４３が組み合わされる。
【００１７】
本発明の第１実施例のニードルホルダ３０を外筒２のホルダ支持シート２４に結合させる構造は図５に示される。ニードルホルダ３０は本体３０２と外径が本体３０２より大きい係止縁３０３を具え、ニードルホルダ３０の後端に開口３００が形成されている。ニードルホルダ本体３０２の断面積は外筒２前端の結合シート２１２の断面積に等しいかそれより僅かに大きい。ホルダ支持シート２４中には内径がニードルホルダ本体３０２より僅かに小さい貫通孔２４０が形成され、ホルダ支持シート２４の後側は斜面２４１を呈する。ニードルホルダ３０がホルダ支持シート２４の貫通孔２４０に挿入される時、ニードルホルダ本体３０２の外表面はホルダ支持シート２４に形成された貫通孔２４０の壁面に径方向に挟持圧迫され、これによりニードルホルダ３０がホルダ支持シート２４部分に固定され、ニードルホルダ３０の係止縁３０３はホルダ支持シート２４の貫通孔２４０内にほぼ収容されて、ニードルホルダ本体３０２の後端とホルダ支持シート２４の後側がこれにより斜面を呈する。ニードルホルダ３０とホルダ支持シート２４の結合後、外筒２の後端開口２２０に挿入され、更に外筒２の前端へと押し込まれる。この時、ニードルホルダ本体３０２の前端が外筒２前端２１の結合シート２１２に当接する。ニードルホルダ本体３０２は外筒２前端の結合シート２１２に当接して両者が比較的大きな接触面積を形成することにより、ニードルアセンブリ３の外筒２の前端に固定される安定度が提供され、特に、注射器の容量が１ｃｃ或いは２ｃｃである時、この結合シート２１２の設計は有効にニードルアセンブリ３と外筒２前端の結合の安定度を提供する。
【００１８】
第１実施例中、シールメンバ５とプランジャー４の結合は、図６に示されるようであり、プランジャー４の内壁面に前端より後ろ向きに所定距離を延伸された径方向収斂部４４が形成され、且つ本実施例では、プランジャーの後端４２に穿孔４２０が形成され、プランジャー４が後端穿孔４２０をシールするエンドキャップ４５を具えている。エンドキャップ４５は基板４５２と基板４５２より延伸されてプランジャー４の筒体４０に進入する頸部４５１を具え、頸部４５１の外径はプランジャー４の後端穿孔４２０の内径よりやや大きい。シールメンバ５は弁部５２を具え、弁部５２はプランジャー４の径方向収斂部４４に挟持圧迫され、シールメンバ５がこれによりプランジャー４前端４１近い位置に固定され、プランジャー４前端の穿孔４１０をシールする。その後、プランジャー４の筒体４０に対する減圧により、その内部に外界気圧より低い低圧状態が形成され、気密用のエンドキャップ４５がプランジャー後端開口４２０をシールする。プランジャー４前端の外壁にフレキシブルなピストンメンバ４３が設けられ、その外径は外筒の筒体２０内径よりやや大きい。
【００１９】
フレキシブルなシールメンバ５の接合部５１は中空テーパ状を呈して弁部５２より前向きに延伸され、外径が漸次後ろから前に縮減され、接合部５１前端に至り、内径がニードルホルダの係止縁３０３よりやや小さい盲孔５１０が形成され、盲孔５１０中に、更に前向き突起５２０が形成されている。図７に示されるように、それはプランジャー４と外筒２を結合させ、図示される構造を形成する。図８に示されるように、プランジャーの前端４１がホルダ支持シート２４より所定の距離の位置に接近する時、接合部５１に形成された盲孔５１０の端部がニードルホルダの係止縁３０３に嵌合し、突起５２０が更にニードルホルダ３０の後端開口３００をシールし、外筒２内の注射液が続けて押し出されるのを防止する。プランジャー４が続けてホルダ支持シート２４を押圧して前進させる。ニードルホルダ３０の本体３０２は外筒前端２１の結合シート２１２の係止を受けて前進せず、これによりホルダ支持シート２４がニードルホルダ３０に対して前進でき、ホルダ支持シート２４に形成された貫通孔２４０の内壁がニードルホルダ本体３０２を係止する位置より離脱し、前進して結合シート２１２をホルダ支持シート２４の貫通孔２４０に進入させ、ニードルホルダ３０とホルダ支持シート２４間の結合がこれにより解除される。
【００２０】
図９に示されるように、ニードルホルダ本体３０２はもともと外筒筒体前端２１に形成された結合シート２１２の制圧を受け、ゆえにプランジャー４が後方の推力を受ける時、ニードルホルダ３０はシールメンバ５を阻止して強制的にシールメンバ５が順調にプランジャー４と共に前進できないようにし、これによりシールメンバ５とプランジャー４の結合が解除され、プランジャーの筒体４０内の低圧状態がこれにより釈放され、碗状気密部５３の助けにより、空気が簡単には弁部５２とプランジャー４の間の隙間よりプランジャー４の筒体４０に流入せず、ゆえにプランジャー４の筒体４０内の負圧吸引作用により、図１０に示されるように、既に結合され一体となったニードルアセンブリ３とシールメンバ５が迅速に内縮し、並びにプランジャーの筒体４０中に収容され、操作人員がニードル３１に突き刺されて感染する危険が減らされる。
【実施例２】
【００２１】
図１１から図１５に示されるように、本発明の第２実施例の第１実施例と異なるところは、シールメンバ５の接合部５１が比較的長く、且つプランジャーが外筒のホルダ支持シート２４に接近する時、その接合部５１が内縮して適宜ニードルアセンブリ３を挟持することにある。図１１に示されるように、シールメンバ５は弁部５２と接合部５１を具え、弁部５２の外径は径方向収斂部４４の内径よりやや大きいため、径方向収斂部４４が弁部５２を挟持圧迫できる。径方向収斂部４４の前端は図示されるようにやや外張し、ゆえに接合部５１に未接触である。ゆえに、図１２に示されるように、プランジャー４がホルダ支持シート２４に接近する時、接合部５１はニードルホルダ３０とホルダ支持シート２４に接触し、押圧されて湾曲する。プランジャー４が続けてホルダ支持シート２４を押圧して前進させる時、図１３に示されるように、続けて押圧を受ける接合部５１が、径方向収斂部４４の外拡の構造により発生する空間により、プランジャー４とホルダ支持シート２４が緊密に接触する時に、押圧され径方向収斂部４４の間に収容される。このとき、接合部５１の前端の突起５２０はニードルホルダ本体３０２の後端開口３００に圧入されて開口３００を封じ、並びに接合部５１がニードルホルダの係止縁３０３の押圧を受けて外向きに拡張し、ニードルホルダの係止縁３０３を係止し、これによりシールメンバ５とニードルアセンブリ３が一体に結合される。図１４に示されるように、プランジャー４が続けて後方推力を受ける時、ニードルホルダ３０がシールメンバ５を阻止し、強制的にシールメンバ５がプランジャー４に伴い前進できないようにし、シールメンバ５とプランジャー４の結合を解除し、これによりプランジャー４の筒体４０内の負圧吸引作用下で、既に結合され一体とされたニードルアセンブリ３とシールメンバ５が迅速に内縮し、並びにプランジャーの筒体４０中に収容される。
【実施例３】
【００２２】
当然、本発明の技術に習熟する者であれば容易に理解できることであるが、ホルダ支持シートの構造、シールメンバ、ニードルホルダの対応する構造、シールメンバのプランジャー内への組付け方式は上述の実施例に限定されるものではなく、例えば図１６から図１９に示される本発明の第３実施例（同じ部品は同じ符号で表示されており、説明は省略する）では、穿孔６０を具えた逆Ｕ形ゴムメンバ６がホルダ支持シート２４の貫通孔２４０内に放置され、並びにホルダ支持シート２４とニードルホルダ本体３０２’の間に挟持され、これにより逆Ｕ形のゴムメンバ６の底面がホルダ支持シート２４の後側と結合され、ニードル３１出口が逆Ｕ形ゴムメンバ６より突出し、並びに逆Ｕ形のゴムメンバ６の外径がプランジャー４内径よりやや大きくされている。ニードル３１後端はニードルホルダ本体３０２’より突出し、並びに逆Ｕ形のゴムメンバ６の穿孔６０を通過し、穿孔６０より突出する。逆Ｕ形のゴムメンバ６の穿孔６０内径はニードル３１外径よりやや小さく、これによりニードル３１が逆Ｕ形のゴムメンバ６に挟持される。シールメンバ５の対応構造もまたこれに合わせて変化し、そのうち、弁部５２の前端５２０’は円弧面を呈するが、円弧面に限定されるわけではなく、緊密に逆Ｕ形のゴムメンバ６の底面に当接する。図１７に示されるように、プランジャー４が外筒２前端から所定の距離に接近する時、シールメンバ５の前端５２０’が逆Ｕ形のゴムメンバ６の底面に接合し、並びにニードル３１がシールメンバの弁部５２に突き刺さり針孔を塞ぎ、並びにニードルアセンブリ３、逆Ｕ形のゴムメンバ６及びシールメンバ５が一体に結合される。図１８に示されるように、続けてプランジャー４が押されると、ホルダ支持シート２４が押圧を受けて下向きにスライドし、同時にニードルホルダ本体３０２が結合シート２１２の阻止を受け、反作用力を発生してシールメンバ５をプランジャー４前端開口より押し離してプランジャー４内に進入し、この時、シールメンバ５と結合された逆Ｕ形のゴムメンバ６もまたプランジャー４前端開口内に進入し、更にプランジャー４が押されると、逆Ｕ形のゴムメンバ６がプランジャー４内部に進入し、これによりピストン機能が形成される。プランジャー４内部の低圧作用を受け、一体に結合されたシールメンバ５、逆Ｕ形のゴムメンバ６及びニードルアセンブリ３がプランジャー４内に吸入される。図１９に示されるように、プランジャー４内の低圧により、結合され一体とされたニードルアセンブリ３、逆Ｕ形のゴムメンバ６及びシールメンバ５がプランジャーの筒体４０中に吸入される。
【実施例４】
【００２３】
図２０に示されるように、本発明の第４実施例の第３実施例と異なるところは、外筒２の前端２１の構造の変化にあり、外筒の前端２１に開口２１０’が形成され、それはニードル３１に対応し、ニードル３１が外筒前端２１より伸出させられている。プランジャー４がホルダ支持シート２４から所定の距離の位置に接近する時、ニードル３１後端がシールメンバ５の前端に突き刺さり、シールメンバ５、逆Ｕ形のゴムメンバ６及びニードルアセンブリ３が一体に結合される。プランジャー４が続けてホルダ支持シート２４を押して前進する時、ニードルホルダ本体３０２の前段が外筒２の前端開口２１０’の阻止を受けて前進不能となり、これによりホルダ支持シート２４がニードルホルダ３０に対して前進し、ホルダ支持シートの貫通孔２４０内壁が逆Ｕ形のゴムメンバ６及びニードルホルダ本体３０２の係止位置より離脱し、前進してニードルホルダ本体３０２の前段部分に至り、逆Ｕ形のゴムメンバ６及びニードルホルダ３０及びホルダ支持シート２４の結合がこれにより解除される。ニードルホルダ本体３０２の前段は外筒の前端開口２１０の制圧を受けるため、プランジャー４が後方推力を受ける時、ニードルホルダ３０がシールメンバ５を阻止し、強制的にシールメンバ５がプランジャー４に伴い前進しないようにし、シールメンバ５とプランジャー４の結合を解除し、プランジャー４の筒体４０内の負圧作用により、既に一体に結合されたシールメンバ５、逆Ｕ形のゴムメンバ６、及びニードルアセンブリ３を迅速に内縮させ、プランジャーの筒体４０中に収容する。
【実施例５】
【００２４】
図２１から図２４は本発明の第５実施例であり、その第１実施例と異なるところは、シールメンバ５の構造変化にあり、図２１に示されるように、シールメンバ５の接合部５１の前端に形成された盲孔５１０’内に、楕円形の弁体５２１が設けられている。図２２に示されるように、プランジャー４の前端４１がホルダ支持シート２４に所定の距離接近する時、接合部５１に形成された盲孔５１０’の端部がニードルホルダの係止縁３０３に嵌合し、楕円形の弁体５２１が更にニードルホルダ３０の後端開口３００を封じ、外筒２内の注射液の持続押出を防止し、接合部５１はニードルホルダ３０の係止縁３０３に係止され、これによりシールメンバ５とニードルアセンブリ３が一体に結合され、プランジャー４が続けてホルダ支持シート２４を押して前進する。図２３に示されるように、ニードルホルダ本体３０２が外筒２前端の結合シート２１２の阻止を受けて前進不能となることで、ホルダ支持シート２４がニードルホルダ３０に対して前進し、ホルダ支持シート２４に形成された貫通孔２４０の内壁がニードルホルダ本体３０２を係止する位置より離脱し、前進して外筒の前端２１に至り、ニードルホルダ３０とホルダ支持シート２４間の結合がこれにより解除される。図２４に示されるように、ニードルホルダ本体３０２はもともと外筒前端の結合シート２１２の制圧を受けるため、プランジャー４が後方の推力を受ける時、ニードルホルダ３０がシールメンバ５を阻止し、強制的にシールメンバ５をプランジャー４に伴い前進しないようにし、こうしてシールメンバ５とプランジャー４の結合が解除され、ゆえに、プランジャー４の筒体４０内の負圧吸引作用により、既に結合されて一体とされたニードルアセンブリ３、楕円形の弁体５２１及びシールメンバ５が迅速に内縮し、並びにプランジャーの筒体４０内に収容される。
【実施例６】
【００２５】
図２５は本発明の第６実施例を示し、その第５実施例との違いは、外筒２の前端２１の構造の変化にあり、外筒の前端２１に開口２１０が形成され、それはニードル３１に対応し、ニードル３１が外筒前端２１より突出する。プランジャー４の前端４１がホルダ支持シート２４から所定の距離に到る時、接合部５１に形成された盲孔５１０’の端部がニードルホルダ３０の係止縁３０３に嵌合し、楕円形の弁体５２１が更にニードルホルダ３０の後端開口３００を封じ、外筒２内の注射液が続いて押し出されるのを防止し、プランジャー４が続けてホルダ支持シート２４を押して前進する。プランジャー４がホルダ支持シート２４を押して前進する時、ニードルホルダ本体３０２の前段が外筒２の前端開口２１０’の阻止を受けて前進不能であるため、ホルダ支持シート２４がニードルホルダ３０に対して前進し、ホルダ支持シート２４の貫通孔２４０内壁がニードルホルダ本体３０２を係止する位置より離脱し、前進してニードルホルダ本体３０２前段部分に至り、ニードルホルダ３０とホルダ支持シート２４の結合がこれにより解除される。ニードルホルダ本体３０２の前段はもともと外筒の前端開口２１０の制圧を受けるため、プランジャー４が後方推力を受ける時、ニードルホルダ３０が楕円形の弁体５２１及びシールメンバ５を阻止し、強制的に両者をプランジャー４に伴い前進不能とし、シールメンバ５とプランジャー４の結合を強制的に解除させ、プランジャー４の筒体４０内の負圧作用下で、既に結合され一体とされた弁体５２１とニードルアセンブリ３を迅速に内縮させ、並びに筒体４０中に収容する。
【実施例７】
【００２６】
図２６、２７は本発明の第７実施例を示し、その第５実施例との違いはシールメンバ５の構造変化にあり、図２６に示されるように、シールメンバ５は中空弁部５２’を具え、接合部５１は中空テーパ状を呈して中空弁部５２’より前向きに延伸され、外径が後ろから前に漸減され、接合部５１前端に、内径がニードルホルダの係止縁３０３より小さい盲孔５１０’が形成され、中空弁部５２’に更に前向きに突起５２０’が盲孔５１０’中において形成されている。図２７に示されるように、プランジャー４の前端４１がホルダ支持シート２４から所定の距離に到る時、接合部５１に形成された盲孔５１０’の端部がニードルホルダ３０の係止縁３０３に嵌合し、突起５２０’が更にニードルホルダ３０の後端開口３００を封じ、外筒２内の注射液が続いて押し出されるのを防止し、プランジャー４が続けてホルダ支持シート２４を押して前進する。プランジャー４がホルダ支持シート２４を押して前進する時、ニードルホルダ本体３０２の前段が外筒２の前端結合シート２１２の阻止を受けて受けて前進不能であるため、ホルダ支持シート２４がニードルホルダ３０に対して前進し、ホルダ支持シート２４の貫通孔２４０内壁がニードルホルダ本体３０２を係止する位置より離脱し、前進して外筒の前端２１に至り、ニードルホルダ３０とホルダ支持シート２４の結合がこれにより解除される。ニードルホルダ本体３０２の前段はもともと外筒の前端の結合シート２１２の制圧を受けるため、プランジャー４が後方推力を受ける時、ニードルホルダ３０がシールメンバ５を阻止し、強制的に両者をプランジャー４に伴い前進不能とし、シールメンバ５とプランジャー４の結合を強制的に解除させ、プランジャー４の筒体４０内の負圧作用下で、既に結合され一体とされたニードルアセンブリ３とシールメンバ５を迅速に内縮させ、並びに筒体４０中に収容する。
【実施例８】
【００２７】
図２８は本発明の第８実施例を示し、その第７実施例との違いは外筒２の前端２１の構造変化にあり、外筒２の前端２１に開口２１０’が形成されてニードル３１に対応し、ニードル３１が外筒の前端２１より伸出している。プランジャー４がホルダ支持シート２４より所定の距離に接近する時、接合部５１に形成された盲孔５１０’の端部がニードルホルダ３０の係止縁３０３に嵌合し、突起５２１’が更にニードルホルダ３０の後端開口３００を封じ、外筒２内の注射液が続いて押し出されるのを防止し、プランジャー４が続けてホルダ支持シート２４を押して前進する。プランジャー４がホルダ支持シート２４を押して前進する時、ニードルホルダ本体３０２の前段が外筒２の前端開口２１０’の阻止を受けて前進不能となり、これにより、ホルダ支持シート２４がニードルホルダ３０に対して前進し、ホルダ支持シート２４の貫通孔２４０内壁がニードルホルダ本体３０２を係止する位置より離脱し、前進してニードルホルダ本体３０２の前段部分に至り、ニードルホルダ３０とホルダ支持シート２４の結合がこれにより解除される。ニードルホルダ本体３０２の前段はもともと外筒の前端の開口２１０の制圧を受けるため、プランジャー４が後方推力を受ける時、ニードルホルダ３０がシールメンバ５を阻止し、強制的にそれをプランジャー４に伴い前進不能とし、シールメンバ５とプランジャー４の結合を強制的に解除させ、プランジャー４の筒体４０内の負圧作用下で、既に結合され一体とされたニードルアセンブリ３とシールメンバ５を迅速に内縮させ、並びに筒体４０中に収容する。
【実施例９】
【００２８】
図２９、３０、３１は本発明の第９実施例を示し、その第１実施例との違いはニードルアセンブリ３とシールメンバ５の構造変化にあり、そのうち、ニードルアセンブリ３は、中空のニードルホルダ３０と該ニードルホルダ３０に通されたニードル３１を具え、ニードルホルダ３０は本体３０２と一対のフック３０４を具え、該フック３０４は径方向にあって対向するように本体３０２周囲に上向きに形成されている。図３０に示されるように、シールメンバ５の弁部５２の前端５２２は曲面を具え、並びにニードルホルダ３０の一対のフック３０４との嵌合に供される環状開口５２３が弁部の前端５２２に形成されている。図３１に示されるように、プランジャー４がホルダ支持シート２４より所定の距離に接近する時、ニードルホルダ３０の一対のフック３０４がシールメンバ５の弁部５２の環状開口５２３に嵌入し、これによりニードルホルダ３０とシールメンバ５が一体に結合され、弁部前端５２２が更にニードルホルダ３０の後端開口３００を塞ぎ、外筒２内の注射液が続いて押し出されるのを防止し、プランジャー４が続けてホルダ支持シート２４を押して前進する。ニードルホルダ本体３０２の前段が外筒２の前端の結合シート２１２の阻止を受けて前進不能となり、これにより、ホルダ支持シート２４がニードルホルダ３０に対して前進し、ホルダ支持シート２４の貫通孔２４０内壁がニードルホルダ本体３０２を係止する位置より離脱し、前進して外筒の前端２１に到ると、ニードルホルダ３０とホルダ支持シート２４の結合がこれにより解除される。ニードルホルダ本体３０２は外筒の前端の結合シート２１２の制圧を受けるため、プランジャー４が後方推力を受ける時、ニードルホルダ３０がシールメンバ５を阻止し、強制的にそれをプランジャー４に伴い前進不能とし、シールメンバ５とプランジャー４の結合を強制的に解除させ、プランジャー４の筒体４０内の負圧作用下で、既に結合され一体とされたニードルアセンブリ３とシールメンバ５が迅速に内縮し、並びに筒体４０中に収容される。
【実施例１０】
【００２９】
図３２は本発明の第１０実施例を示し、その第９実施例との違いは外筒２の前端２１の構造の変化にあり、外筒の前端２１に開口２１０’が形成され、それはニードル３１に対応し、ニードル３１が外筒前端２１より伸出させられている。プランジャー４がホルダ支持シート２４より所定の距離に接近する時、ニードルホルダ３０の一対のフック３０４がシールメンバ５の弁部５２の前端５２２の環状開口５２３に嵌入し、これによりニードルホルダ３０とシールメンバ５が一体に結合され、弁部前端５２２が更にニードルホルダ３０の後端開口３００を塞ぎ、外筒２内の注射液が続いて押し出されるのを防止し、プランジャー４が続けてホルダ支持シート２４を押して前進する。プランジャー４が続けてホルダ支持シート２４を押して前進する時、ニードルホルダ本体３０２の前段が外筒２の前端の開口２１０’の阻止を受けて前進不能となり、これにより、ホルダ支持シート２４がニードルホルダ３０に対して前進し、ホルダ支持シート２４の貫通孔２４０内壁がニードルホルダ本体３０２を係止する位置より離脱し、前進してニードルホルダ本体３０２の前段部分に到ると、ニードルホルダ３０とホルダ支持シート２４の結合がこれにより解除される。ニードルホルダ本体３０２は外筒の前端の開口２１０の制圧を受けるため、プランジャー４が後方推力を受ける時、ニードルホルダ３０がシールメンバ５を阻止し、強制的にそれをプランジャー４に伴い前進不能とし、シールメンバ５とプランジャー４の結合を強制的に解除させ、プランジャー４の筒体４０内の負圧作用下で、既に結合され一体とされたニードルアセンブリ３とシールメンバ５が迅速に内縮し、並びに筒体４０中に収容される。
【００３０】
以上から本発明の安全注射器は、簡単な構造の組合せにより、有効に安全注射器の製造コストを減らし、並びに使用者の安全性を保障する。
【００３１】
以上は本発明の具体的実施例の説明であって本発明の請求範囲を制限するものではなく、本発明に記載の精神下で完成されて等しい効果を有する改変或いは修飾は、いずれも本発明の請求範囲に属するものとする。
【図面の簡単な説明】
【００３２】
【図１】周知の安全注射器の立体図である。
【図２】周知の安全注射器の断面図である。
【図３】図２の安全注射器の使用過程表示図であり、シールメンバとニードルアセンブリの連結関係を示す。
【図４】本発明の第１実施例の立体分解図である。
【図５】本発明の第１実施例の部分断面拡大図であり、外筒とニードルアセンブリの結合関係を示す。
【図６】本発明の第１実施例の部分断面拡大図であり、プランジャーとシールメンバの結合関係を示す。
【図７】本発明の第１実施例の組合せ断面図であり、注射からニードルアセンブリがプランジャー内に回収される過程の各部品の関係位置変化関係を示す。
【図８】本発明の第１実施例の組合せ断面図であり、注射からニードルアセンブリがプランジャー内に回収される過程の各部品の関係位置変化関係を示す。
【図９】本発明の第１実施例の組合せ断面図であり、注射からニードルアセンブリがプランジャー内に回収される過程の各部品の関係位置変化関係を示す。
【図１０】本発明の第１実施例の組合せ断面図であり、注射からニードルアセンブリがプランジャー内に回収される過程の各部品の関係位置変化関係を示す。
【図１１】本発明の第２実施例の組合せ断面図であり、注射からニードルアセンブリがプランジャー内に回収される過程の各部品の関係位置変化関係を示す。
【図１２】本発明の第２実施例の組合せ断面図であり、注射からニードルアセンブリがプランジャー内に回収される過程の各部品の関係位置変化関係を示す。
【図１３】本発明の第２実施例の組合せ断面図であり、注射からニードルアセンブリがプランジャー内に回収される過程の各部品の関係位置変化関係を示す。
【図１４】本発明の第２実施例の組合せ断面図であり、注射からニードルアセンブリがプランジャー内に回収される過程の各部品の関係位置変化関係を示す。
【図１５】本発明の第２実施例の組合せ断面図であり、注射からニードルアセンブリがプランジャー内に回収される過程の各部品の関係位置変化関係を示す。
【図１６】本発明の第３実施例の組合せ断面図であり、注射からニードルアセンブリがプランジャー内に回収される過程の各部品の関係位置変化関係を示す。
【図１７】本発明の第３実施例の組合せ断面図であり、注射からニードルアセンブリがプランジャー内に回収される過程の各部品の関係位置変化関係を示す。
【図１８】本発明の第３実施例の組合せ断面図であり、注射からニードルアセンブリがプランジャー内に回収される過程の各部品の関係位置変化関係を示す。
【図１９】本発明の第３実施例の組合せ断面図であり、注射からニードルアセンブリがプランジャー内に回収される過程の各部品の関係位置変化関係を示す。
【図２０】本発明の第４実施例の組合せ断面図であり、注射時の各部品の関係位置変化関係を示す。
【図２１】本発明の第５実施例の組合せ断面図であり、注射からニードルアセンブリがプランジャー内に回収される過程の各部品の関係位置変化関係を示す。
【図２２】本発明の第５実施例の組合せ断面図であり、注射からニードルアセンブリがプランジャー内に回収される過程の各部品の関係位置変化関係を示す。
【図２３】本発明の第５実施例の組合せ断面図であり、注射からニードルアセンブリがプランジャー内に回収される過程の各部品の関係位置変化関係を示す。
【図２４】本発明の第５実施例の組合せ断面図であり、注射からニードルアセンブリがプランジャー内に回収される過程の各部品の関係位置変化関係を示す。
【図２５】本発明の第６実施例の組合せ断面図であり、注射時の各部品の関係位置変化関係を示す。
【図２６】本発明の第７実施例の組合せ断面図であり、注射から注射完成までの各部品の関係位置変化関係を示す。
【図２７】本発明の第７実施例の組合せ断面図であり、注射から注射完成までの各部品の関係位置変化関係を示す。
【図２８】本発明の第８実施例の組合せ断面図であり、注射時の各部品の関係位置変化関係を示す。
【図２９】本発明の第９実施例の立体分解図である。
【図３０】本発明の第９実施例の部分断面拡大図であり、プランジャーとシールメンバの結合関係を示す。
【図３１】本発明の第９実施例の組合せ断面図であり、注射時の各部品の関係位置変化関係を示す。
【図３２】本発明の第１０実施例の組合せ断面拡大図であり、注射時の各部品の関係位置変化関係を示す。
【符号の説明】
【００３３】
２  外筒                            ３  ニードルアセンブリ
４  プランジャー                    ５  シールメンバ
６  逆Ｕ形のゴムメンバ              ７  注射器
８  安全注射器                      ２０  筒体
２１  前端                          ２２  後端
２４  ホルダ支持シート              ３０  ニードルホルダ
３１  ニードル                      ４０  筒体
４１  前端                          ４２  後端
４３  ピストンメンバ                ４４  径方向収斂部
４５  エンドキャップ                ５１  接合部
５２  弁部                          ５２’  弁部
５３  気密部                        ６０  穿孔
７２  外筒                          ７３  ニードルアセンブリ
７４  プランジャー                  ８２  外筒
８３  ニードルアセンブリ            ８４  プランジャー
８５  シールメンバ                  ８６  バネ
２１０、２１０’  開口
２１２  結合シート                  ２２０  開口
２４０  貫通孔                      ２４１  斜面
３００  開口                        ３０１  前段
３０２、３０２’  ニードルホルダ本体
３０３  係止縁                      ３０４  フック
４１０、４２０  穿孔                ４５１  頸部
４５２  基板                        ５１０、５１０’  盲孔
５２０  突起                        ５２０’  前端
５２１  弁体                        ５２２  前端
５２３  環状開口                    ７２４  開口
７３０  ニードルホルダ              ７３１  ニードル
７４３  ゴム弁                      ８２４  クランプ
８３０  ニードルホルダ              ８３１  ニードル
【図１】
2005177467.tif 000003
【図２】
2005177467.tif 000004
【図３】
2005177467.tif 000005
【図４】
2005177467.tif 000006
【図５】
2005177467.tif 000007
【図６】
2005177467.tif 000008
【図７】
2005177467.tif 000009
【図８】
2005177467.tif 000010
【図９】
2005177467.tif 000011
【図１０】
2005177467.tif 000012
【図１１】
2005177467.tif 000013
【図１２】
2005177467.tif 000014
【図１３】
2005177467.tif 000015
【図１４】
2005177467.tif 000016
【図１５】
2005177467.tif 000017
【図１６】
2005177467.tif 000018
【図１７】
2005177467.tif 000019
【図１８】
2005177467.tif 000020
【図１９】
2005177467.tif 000021
【図２０】
2005177467.tif 000022
【図２１】
2005177467.tif 000023
【図２２】
2005177467.tif 000024
【図２３】
2005177467.tif 000025
【図２４】
2005177467.tif 000026
【図２５】
2005177467.tif 000027
【図２６】
2005177467.tif 000028
【図２７】
2005177467.tif 000029
【図２８】
2005177467.tif 000030
【図２９】
2005177467.tif 000031
【図３０】
2005177467.tif 000032
【図３１】
2005177467.tif 000033
【図３２】
2005177467.tif 000034